(57)【要約】      （修正有）【課題】面ファスナーにおける射出フック構造及び該射出フック構造を有する面ファスナーを提供する。【解決手段】面ファスナーの底材８と一体形成する底部を有するフック体１１と、少なくとも一つの湾曲フック部１３と、該少なくとも一つの湾曲フック部と対応するフック体側湾部１４とを含み、該少なくとも一つの湾曲フック部はフック末端５と、該フック体と該フック末端との間に介在して、前記フック体側湾部と対向する湾曲部分を有するネック部４とを含むように構成されている面ファスナーにおける射出フックにおいて、前記フック体側湾部が第１円Ｃ１の部分円周に規定され、前記ネック部の湾曲部分は第２円Ｃ２の部分円周に規定され、前記フック末端が第３円Ｃ３の部分円周に規定されており、前記第１円、第２円及び第３円が、所定の関係を満足する面ファスナーにおける射出フックである。【選択図】図２
2011224323.tif 000002
【特許請求の範囲】
【請求項１】
面ファスナーの底材と一体形成する底部を有するフック体と、少なくとも一つの湾曲フック部と、該少なくとも一つの湾曲フック部と対応するフック体側湾部とを含み、
前記少なくとも一つの湾曲フック部がフック末端と、前記フック体と前記フック末端との間に介在して、前記フック体側湾部と対向する湾曲部分を有するネック部とを含むように構成されている面ファスナーにおける射出フックにおいて、
前記フック体側湾部が第１円の部分円周に規定され、前記ネック部の湾曲部分が第２円の部分円周に規定され、前記フック末端が第３円の部分円周に規定されており、前記第１円、第２円、及び第３円が、以下の関係を満足することを特徴とする面ファスナーにおける射出フック。
ａ）前記第２円が、前記第１円の内部に内接し、前記第２円と前記第３円とは外接すること；
ｂ）前記第１円の中心から前記射出フックの垂直の中心軸線（Ｌ）までの距離（Ｄ１）と、前記第２円の中心から該中心軸線（Ｌ）までの距離（Ｄ２）との差の絶対値が０．０４ｍｍより小さいこと、即ち｜Ｄ１−Ｄ２｜＜０．０４ｍｍ；
ｃ）前記第１円の半径（Ｒ１）が前記第２円の半径（Ｒ２）の２倍以上であること、即ちＲ１≧２Ｒ２；
ｄ）前記第３円の中心から前記射出フックの底材までの距離（Ｈ３）が前記第２円の中心から前記射出フックの底材までの距離（Ｈ２）より小さいこと、即ちＨ３＜Ｈ２；
ｅ）前記第２円の半径（Ｒ２）と前記第３円の半径（Ｒ３）との差の絶対値が０．０４ｍｍより小さいこと、即ち｜Ｒ２−Ｒ３｜＜０．０４ｍｍ。
【請求項２】
少なくとも一つの湾曲フック部が、一方向湾曲フック部を含む請求項１に記載の面ファスナーにおける射出フック。
【請求項３】
少なくとも一つの湾曲フック部が、二つの異方向湾曲フック部を含む請求項１に記載の面ファスナーにおける射出フック。
【請求項４】
底材と、該底材の表面に形成されている複数の請求項１から３のいずれかに記載の面ファスナーにおける射出フックとを含むことを特徴とする面ファスナー。
【発明の詳細な説明】
【技術分野】
【０００１】
本発明は、面ファスナーにおける射出フック構造及び該射出フック構造を有する面ファスナーに関する。
【背景技術】
【０００２】
「マジックテープ（登録商標）」と呼ばれている従来の面ファスナーは、係合、分離しやすい特性をもつため、分離する二つの部材を分離可能に固着するものに汎用的に使用されている。例えば、衣服、靴、個人衛生用品（オムツなど）の関連領域に使用されている。
近年、面ファスナーの関連領域においては、代わりに射出フック型の面ファスナーが多く使用されてきている。従来の面ファスナーと比べると、射出フック型の面ファスナーは、比較的軽く薄くて、より強い耐横引っ張り力、耐剥離力を持ち、更に加工過程においては不用意な動作により係合が解除されることや布のエッジが一致していないことなどで製品の外見の質感を降下させるのを防止することができるなどの利点を有する。また、射出フック型の面ファスナーも、印刷、染着、高周波等の後加工工程を運用することにより、製品のブランドイメージ及び付加価値を向上させることができる。
【０００３】
射出フック型の面ファスナーは、上記の利点を有するため、各種の領域に多く応用されてきているが、既有の射出フック自体の構成上の欠点により、応力集中、フックとマット上のループの破壊、耐剥離横引張り力の不足などの問題が存在し、各種の領域における要求に満足することができない。
【０００４】
より詳細には、図１に示されるように、従来の射出フック構造１は、そのフック体部分２が基材３に略垂直に形成され、硬くて、射出フックの湾曲部分全体は射出フックのネック部４と末端５に限られているため、射出フックの末端５とループ６との剥離動作がなされると、フック体部分２の硬さにより、作用力のすべてが射出フックのネック部４に集中してしまい、射出フック１とループ６とが剥離する場合、ネック部４と末端５に生じた変形量がプラスチックの降伏強度を超え、塑性変形が生じ、湾曲したネック部４と末端５とがストレート状に引っ張られていき、射出フック１がループ６と有効に係合できず、耐剥離強度が低減し、最終的に面ファスナーがその固着効果を失ってしまうことになる。
【０００５】
一方、ループ６’と射出フック１との係合部位が湾曲したネック部４又は末端５ではなく、フック体２にある場合、ループ６’と射出フック１との剥離動作がなされると、射出フック１とループ６’とが相互に作用しあう箇所は、相対的に硬くて湾曲し難いフック体２にあるため、フック体２とループ６’との間の作用力が射出フック１の弾性湾曲により適切に放出することができないため、射出フック１とループ６’との間の剥離力が横引っ張り力に転換してしまい、射出フック１とループ６’とが互いに引っ張り合うようになり、射出フック１及び／又はループ６’が断裂又は破壊されるため、面ファスナーの使用寿命が大幅に縮減してしまう。
【０００６】
なお、射出フックのフック形状、射出フックの配列、及び射出フックの密度などは、配合するマットに影響を与える。面ファスナーとその対応するマットとが係合固着しあう過程において、面ファスナー上の射出フックが、マット上のループと同時に係合しあうその射出フックの数は、面ファスナーの固着効果に影響を与える最も大きな因子である。したがって、綿密で固着強度が良い射出フック型の面ファスナーを提供することは、この業界において、未解決である目標の一つである。
【０００７】
また、射出フックとマットとが互いに作用する方向性、角度などの変換上の差異により、一方向への射出フックの作用及び未作用が生じてしまう。その理由は、射出フックの末端の反り、湾曲程度、及び末端とフック体との間の距離の差異に関連するからである。言い換えれば、射出フックの末端とフック体の両者間の距離差、及び射出フックの末端の長さ、湾曲率などにより、射出フックとループの間の係合及び剥離効率に実際に影響を与える。したがって、従来の射出フックの基礎構造をどのように設計して変更することで、射出フックとマットとが相互に作用する際の方向性、角度などの変化により、一方向への射出フックの未作用を解決することは、この業界において解決しようとする課題の一つである。
【発明の概要】
【発明が解決しようとする課題】
【０００８】
本発明は、かかる現状に鑑みてなされたものであり、従来における前記諸問題を解決し、以下の目的を達成することを課題とする。即ち、本発明は、新規の面ファスナーにおける射出フック構造及び該射出フック構造を有する面ファスナーを提供することを目的とする。
【課題を解決するための手段】
【０００９】
従来の射出フックに存在した上記の欠点及び応用上の制限などについて、本発明者らは、長期間、鋭意に研究した結果、以下の（１）及び（２）の両方面から、従来の射出フックに存在した上記の欠点及び応用上の制限を改善して解決できることが判った。
【００１０】
（１）射出フックのフック体の湾曲率及び応力集中の関連変化を改善して増加させ、更に射出フックにおける末端のフック体に対する応力分布を増加させることにより、ループと射出フックとが相互に作用した場合に生じた応力集中現象が、湾曲率の大きいフック体構造によって解消され、応力の集中による射出フック又はループの損傷が避けられ、射出フック自体の応力への応変の作用周期を延長することができ、ひいては、製品の固着力が向上し、射出フックのより良い剥離効果が生じる。
【００１１】
（２）射出フックの配列、射出フックの密度の変化によりフックとフックとの間の距離を増加させることによって、射出フックとループとの係合率を高めさせることができ、そして、射出フックの密度の変化により、末端の反りや湾曲程度及びフック体間の距離、射出フックの湾曲率をも高めさせることができ、射出フックとマットが相互に作用した際の方向性、角度などの変換上の差異を実質的に改善することができる。
【００１２】
前記研究結果により、本発明は、新規の面ファスナーにおける射出フック構造及び該射出フック構造を有する面ファスナーを提供することができる。即ち、
＜１＞  面ファスナーの底材と一体形成する底部を有するフック体と、少なくとも一つの湾曲フック部と、該少なくとも一つの湾曲フック部と対応するフック体側湾部とを含み、
前記少なくとも一つの湾曲フック部がフック末端と、前記フック体と前記フック末端との間に介在して、前記フック体側湾部と対向する湾曲部分を有するネック部とを含むように構成されている面ファスナーにおける射出フックにおいて、
前記フック体側湾部が第１円の部分円周に規定され、前記ネック部の湾曲部分が第２円の部分円周に規定され、前記フック末端が第３円の部分円周に規定されており、前記第１円、第２円、及び第３円が、以下の関係を満足することを特徴とする面ファスナーにおける射出フックである。
ａ）前記第２円が、前記第１円の内部に内接し、前記第２円と前記第３円とは外接すること；
ｂ）前記第１円の中心から前記射出フックの垂直の中心軸線（Ｌ）までの距離（Ｄ１）と、前記第２円の中心から該中心軸線（Ｌ）までの距離（Ｄ２）との差の絶対値が０．０４ｍｍより小さいこと、即ち｜Ｄ１−Ｄ２｜＜０．０４ｍｍ；
ｃ）前記第１円の半径（Ｒ１）が前記第２円の半径（Ｒ２）の２倍以上であること、即ちＲ１≧２Ｒ２；
ｄ）前記第３円の中心から前記射出フックの底材までの距離（Ｈ３）が前記第２円の中心から前記射出フックの底材までの距離（Ｈ２）より小さいこと、即ちＨ３＜Ｈ２；
ｅ）前記第２円の半径（Ｒ２）と前記第３円の半径（Ｒ３）との差の絶対値が０．０４ｍｍより小さいこと、即ち｜Ｒ２−Ｒ３｜＜０．０４ｍｍ。
＜２＞  少なくとも一つの湾曲フック部が、一方向湾曲フック部を含む前記＜１＞に記載の面ファスナーにおける射出フックである。
＜３＞  少なくとも一つの湾曲フック部が、二つの異方向湾曲フック部を含む前記＜１＞に記載の面ファスナーにおける射出フックである。
＜４＞  底材と、該底材の表面に形成されている複数の前記＜１＞から＜３＞のいずれかに記載の面ファスナーにおける射出フックとを含むことを特徴とする面ファスナーである。
【発明の効果】
【００１３】
本発明によると、従来における問題を解決することができ、射出フックの応力集中、射出フックの塑性変形、射出フックとループの破壊などの問題を防止することができ、これにより、射出フックとループの使用寿命が延長し、射出フックとループとの係合状態を延長させ、射出フックとループとの係合強度を向上させるなどの効果を奏することができる新規の面ファスナーにおける射出フック構造及び該射出フック構造を有する面ファスナーを提供することができる。
【図面の簡単な説明】
【００１４】
【図１】図１は、従来の面ファスナーにおける射出フック構造を示す概略平面図である。
【図２】図２は、本発明の一実施例に係る射出フック構造を示す概略平面図である。
【図３】図３は、本発明の一実施例に係る射出フック構造を含む面ファスナーを示す概略平面図である。
【図４】図４は、本発明の他の実施例に係る射出フック構造を示す概略平面図である。
【発明を実施するための形態】
【００１５】
以下、図２〜図４を参照しながら、本発明の面ファスナーにおける射出フック構造及び該射出フック構造を含む面ファスナーについて詳細に説明する。
【００１６】
図２は、本発明の一実施例に係る面ファスナーにおける射出フック構造を示す概略平面図である。図２に示されるように、本発明の射出フック１０は、面ファスナー底材８と一体形成する底部１２を有するフック体１１と、湾曲フック部１３と、該湾曲フック部１３と対応するフック体側湾部１４とを含む。該湾曲フック部１３はフック末端１５と、該フック体１１と該フック末端１５との間に介在して、前記フック体側湾部１４と対向する湾曲部分１７を有するネック部１６とを含む。
【００１７】
前記フック体側湾部１４の湾曲弧度は、半径Ｒ１をもつ第１円Ｃ１の部分円周により規定されており、前記第１円Ｃ１の中心Ｃと該射出フックの垂直の中心軸線Ｌとの間には距離Ｄ１をおいている。前記ネック部の湾曲部分１７の湾曲弧度は半径Ｒ２をもつ第２円Ｃ２の部分円周により規定されており、前記第２円Ｃ２の中心Ｂと該射出フックの垂直の中心軸線Ｌとの間には距離Ｄ２をおいており、そして該第２円Ｃ２の中心Ｂと前記面ファスナー底材８との間には距離Ｈ２をおいている。前記フック末端１５は第３円Ｃ３の部分円周により規定され、該第３円Ｃ３の中心Ａと前記面ファスナー底材８との間には距離Ｈ３をおいている。
【００１８】
従来の射出フックの応力集中、ループと射出フックの損害の発生を克服するために、本発明に係る射出フック１０においては、前記フック体側湾部１４の湾曲弧度、前記ネック部の湾曲部分１７の湾曲弧度、及びフック末端１５のそれぞれを規定する前記第１円Ｃ１、第２円Ｃ２及び第３円Ｃ３との間の相対位置関係は、前記第２円Ｃ２が前記第１円Ｃ１の内部に内接し、かつ該第２円Ｃ２と該第３円Ｃ３とが外接することにあるように設計されている。そして、これらの第１円Ｃ１、第２円Ｃ２及び第３円Ｃ３もまた下記の寸法と位置特徴を有する。
【００１９】
まず、前記第１円Ｃ１の中心Ｃから前記射出フックの垂直の中心軸線Ｌまでの距離Ｄ１と、前記第２円Ｃ２の中心Ｂから該中心軸線Ｌまでの距離Ｄ２との差の絶対値は０．０４ｍｍより小さいこと、即ち｜Ｄ１−Ｄ２｜＜０．０４ｍｍである。次に、前記第１円Ｃ１の半径Ｒ１は前記第２円Ｃ２の半径Ｒ２の２倍以上であること、即ちＲ１≧２Ｒ２である。そして、前記第３円Ｃ３の中心Ａから前記射出フックの底材８までの距離Ｈ３は前記第２円Ｃ２の中心Ｂから前記射出フックの底材までの距離Ｈ２より小さいこと、即ちＨ３＜Ｈ２である。言い換えれば、前記フック末端１５は前記ネック部の湾曲部分１７よりも低い。最後に、前記第２円Ｃ２の半径Ｒ２と前記第３円Ｃ３の半径Ｒ３との差の絶対値は０．０４ｍｍより小さいこと、即ち｜Ｒ２−Ｒ３｜＜０．０４ｍｍである。
【００２０】
上記構成特徴を有する本発明の射出フック１０によれば、そのフック体１１と湾曲フック部１３とは、サイズ上、より一致するようになったため、射出フック１０とループとが剥離される場合、湾曲フック部１３が弾性変形するだけでなく、フック体１１も弾性変形するので、剥離力が湾曲フック部１３のみに集中しなくなり、変形量が大きすぎることにより湾曲フック部１３が塑性変形して面ファスナーが元来の固着作用を喪失するのを防止することができる。
【００２１】
また、ループと本発明の射出フック１０との係合箇所はフック体１１にあった場合、ループと射出フック１０とが剥離されると、剥離力がフック体１１の弾性変形により分散され、そしてフック体側湾部１４の湾曲弧度により湾曲フック部１３へ適切に転移され、剥離力が横引張り力になるのを阻止することができ、射出フック１０とループとが引っ張り合うことにより射出フック１０及び／又はループが断裂又は破壊される状態を避けることができるため、面ファスナーの有効な使用寿命を大幅に延長することができる。
【００２２】
なお、本発明に係る射出フック１０は、そのフック体１１が適切な弾性変形能力及び湾曲弧度を有し、かつ湾曲フック部１３が上記の構成特徴を有するため、ループとの剥離がなされた場合、ループとの離脱を遅らせることができ、即ち、ループとの係合時間を延長することができるため、より綿密で安定的で強力な固着強度を提供することができる。
【００２３】
本発明の射出フック１０は、より長い有効な使用寿命及びより強力な固着強度を同時に提供することが可能であるため、各種の領域において異なる要求に満足することができる。そして、本発明の射出フック１０は、特にフックとループとの係合、離脱が常に繰り返される使用分野に適合する。
【００２４】
図３は、本発明の射出フック１０を含む面ファスナー２０の実施例を示す概略図である。図３に示された実施例では、多数の射出フック１０は、面ファスナー２０の底材の表面に形成されており、隣接する行の射出フック１０の湾曲フック部は、反対方向に向くように配列されている。射出フック１０の配列を図３のようにすることにより、異なる方向のループ６が射出フック１０と有効に係合することが可能になり、ループ６と射出フック１０との係合率が向上するため、射出フック１０とループ６との係合し合える数が増え、面ファスナー２０全体の固着強度を高めることができる。
【００２５】
図４は、本発明の他の実施例に係る射出フック１０’を示す概略平面図である。図４に示された実施例では、ダブルフック型の射出フック１０’は、フック体１１’と、互いが反対側に向くように湾曲する湾曲フック部１３’、１３”とを有する。前記フック体１１’は、前記湾曲フック部１３’、１３”と対応する側辺のそれぞれにフック体側湾部１４’、１４”をそれぞれ有する。湾曲フック部１３’、１３”のそれぞれは、フック末端１５’、１５”と、前記フック体１１’とフック末端１５’、１５”との間に介在するネック部１６’、１６”とを有する。前記ネック部１６’、１６”は、前記フック体側湾部１４’、１４”と対向する湾曲部分１７’、１７”を有する。射出フック１０’の上記構成部分は図２に示された射出フック１０の対応部分と同じ構成特徴を有するので、射出フック１０’は、射出フック１０と同じ作用効果を奏する他、異方向のループと有効に係合でき、面ファスナーとマットとに係合方向が異なることにより係合強度の不足が生じることを避けることができ、面ファスナーとマットとの係合が方向性により制限されることがなくなるなどの作用効果もある。
【００２６】
上記の図面を参照して本発明に係る面ファスナーにおける射出フック構造及びその射出フック構造を有する面ファスナーの好ましい実施例を説明したが、本発明を限定するものではない。本発明の技術思想及び精神を逸脱することなく、当業者が様々な変形及び改良を加えることができる。
【００２７】
例えば、上記の実施例では、シングルフック及びダブルフック型の射出フックを例に挙げたが、本発明の射出フックは、三つのフック、四つのフック型の射出フックであってもよい。また、上記の実施例では、ダブルフック型の射出フックは図４のように、二つの湾曲フック部が互いに反対方向に向く構成であるが、二つの湾曲フック部の方向が９０度になる構成であってもよい。これらの構成及び他の変化可能な構成は特許請求の範囲による本願の範囲に含まれていることは言うまでもない。
【符号の説明】
【００２８】
１      従来の射出フック構造
２      フック体部分
３      底材
４      ネック部
５      フック末端
６、６’      ループ
８      底材
１０、１０’      本発明の射出フック
１１、１１’      フック体
１２      底部
１３、１３’、１３”      湾曲フック部
１４、１４’、１４”      フック体側湾部
１５、１５’、１５”      フック末端
１６、１６’、１６”      ネック部
１７、１７’、１７”      ネック部湾曲部分
【図１】
2011224323.tif 000003
【図２】
2011224323.tif 000004
【図３】
2011224323.tif 000005
【図４】
2011224323.tif 000006